(57)【要約】【課題】利便性を向上させた画像処理装置を提供する。【解決手段】画像処理装置１１は、画像読み取り部１４と、ＯＣＲ処理部２５と、ログイン受け付け部２６と、実行許可部２７とを備える。画像読み取り部１４は、原稿の画像を読み取る。ＯＣＲ処理部２５は、画像読み取り部１４により読み取られた画像データの中から文字を認識する。ログイン受け付け部２６は、ＯＣＲ処理部２５により認識された文字の認証により機能を実行させるログインを受け付ける。実行許可部２７は、ログイン受け付け部２６によりログインを受け付けられれば、認証された文字に基づいて複数の機能のうちの少なくとも一部の実行を許可する。【選択図】図２
2019041237.tif 000002
【特許請求の範囲】
【請求項１】
複数の機能を有し、画像を処理する画像処理装置であって、
原稿の画像を読み取る画像読み取り部と、
前記画像読み取り部により読み取られた画像データの中から文字を認識するＯＣＲ処理部と、
前記ＯＣＲ処理部により認識された文字の認証により複数の前記機能のうちの少なくとも一部の実行を許可するログインを受け付けるログイン受け付け部と、
前記ログイン受け付け部により前記ログインを受け付けられれば、複数の前記機能のうちの少なくとも一部の実行を許可する実行許可部と、を備える、画像処理装置。
【請求項２】
前記実行許可部により実行を許可された前記機能を用いて、前記画像読み取り部により読み取られた画像データに対するジョブを実行するよう制御するジョブ実行制御部をさらに備える、請求項１に記載の画像処理装置。
【請求項３】
前記実行許可部は、認証された前記文字が所定の特定文字であれば、前記画像読み取り部により読み取られた画像データに対して全ての前記機能の実行を許可する、請求項１に記載の画像処理装置。
【請求項４】
前記ログイン受け付け部は、前記ＯＣＲ処理部により認識された前記文字が認証されなければ、処理を終了する、請求項１〜請求項３のいずれか１項に記載の画像処理装置。
【請求項５】
前記画像読み取り部は、原稿を読み取り位置に搬送する原稿搬送装置を含む、請求項１〜請求項４のいずれか１項に記載の画像処理装置。
【発明の詳細な説明】
【技術分野】
【０００１】
この発明は、画像処理装置に関するものである。
【背景技術】
【０００２】
複合機に代表される画像処理装置においては、原稿の画像を読み取って画像データを取得した後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、原稿の画像の読み取りに関する技術が、特開２００９−１１８３０９号公報（特許文献１）に開示されている。
【０００４】
特許文献１に開示の原稿読み取り装置は、原稿画像を読み取って画像データを生成する画像読み取り部を備えた原稿読み取り装置であって、原稿を加熱するヒータを備え、前記ヒータによる加熱を行わずに前記画像読み取り部で読み取った画像データと、前記ヒータによる加熱を行って前記画像読み取り部で読み取った画像データとを比較することで、加熱により変性して消色する着色材料により描画された描画画像データを抽出する画像データ抽出部と、該画像データ抽出部で抽出した描画画像データに基づいて、原稿読み取り装置の動作を設定する設定部とを有し、該設定部で設定された動作を実行することを特徴としている。
【先行技術文献】
【特許文献】
【０００５】
【特許文献１】特開２００９−１１８３０９号公報
【発明の概要】
【発明が解決しようとする課題】
【０００６】
複数の機能を有する画像処理装置においては、まずログイン画面でユーザーを認証してから、画像処理の要求を受け付ける。すなわち、正規のユーザーとして認証されなければ、画像処理装置の有する機能を利用することができない。しかし、このような原則を貫くと、例えば、ログイン認証が認められておらず、機能を利用する権限を有しないユーザーに一部の機能だけを利用させたい場合に対応することができず、結果として利便性が低下することとなる。
【０００７】
上記した特許文献１に開示の技術では、読み取られた原稿内に特定のキーワードが含まれている場合には、登録済みのジョブ設定を行うことができるが、このような構成では、利用させたいジョブが実行できないおそれがある。すなわち、このような構成では、ユーザーの利便性の向上が十分に図れない場合がある。
【０００８】
この発明の目的は、利便性を向上させた画像処理装置を提供することである。
【課題を解決するための手段】
【０００９】
この発明に係る画像処理装置は、複数の機能を有し、画像を処理する。画像処理装置は、画像読み取り部と、ＯＣＲ処理部と、ログイン受け付け部と、実行許可部とを備える。画像読み取り部は、原稿の画像を読み取る。ＯＣＲ処理部は、画像読み取り部により読み取られた画像データの中から文字を認識する。ログイン受け付け部は、ＯＣＲ処理部により認識された文字の認証により複数の機能のうちの少なくとも一部の実行を許可するログインを受け付ける。実行許可部は、ログイン受け付け部によりログインを受け付けられれば、複数の機能のうちの少なくとも一部の実行を許可する。
【発明の効果】
【００１０】
このような画像処理装置によると、画像処理装置の機能を利用する権限を有しないユーザーであっても、取り扱う原稿の画像によって、画像処理装置の一部の機能を実行することができる。したがって、利便性を向上させることができる。
【図面の簡単な説明】
【００１１】
【図１】この発明の一実施形態に係る画像処理装置を複合機に適用した場合の複合機の外観図である。
【図２】図１に示す複合機の構成を示すブロック図である。
【図３】権限を有さないユーザーが複合機１１を利用してジョブを実行する際の処理の流れを示すフローチャートである。
【図４】ログイン画面の一例を示す図である。
【図５】ＯＣＲ読み取りを促す画面の一例を示す図である。
【図６】セットされる原稿の一例を示す図である。
【発明を実施するための形態】
【００１２】
以下、この発明の実施の形態を説明する。なお、以下の図面において同一または相当する部分には同一の参照番号を付しその説明は繰返さない。
【００１３】
図１は、この発明の一実施形態に係る画像処理装置を複合機に適用した場合の複合機１１の外観図である。図２は、図１に示す複合機１１の構成を示すブロック図である。図１および図２を参照して、複合機１１は、画像処理に関し、コピー機能、プリンター機能、ファクシミリ機能等、複数の機能を有する。複合機１１は、制御部１２と、操作部１３と、画像読み取り部１４と、画像形成部１５と、給紙カセット１６と、ハードディスク１７と、ネットワーク２３と接続するためのネットワークインターフェース部１８とを備える。
【００１４】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１９を含む。操作部１３は、複合機１１側から発信される情報やユーザーの入力内容を表示する表示部としての表示画面２１を含む。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または原稿を載置する載置台上にセットされた原稿の画像を読み取る。給紙カセット１６は複数設けられており、それぞれ複数枚の用紙をその内部に収納することができる。画像形成部１５は、画像読み取り部１４により読み取られた原稿の画像データやネットワークを介して送信された画像データを基に、給紙カセット１６から搬送されてきた用紙に画像を形成して印刷する。ハードディスク１７は、送信された画像データや入力された画像形成条件等、画像形成に関するデータを記憶する。なお、ハードディスク１７には、後述する設定されたキーワードが、複合機１１の有する機能と紐付けられてデータとして記憶されている。
【００１５】
次に、複合機１１に備えられる制御部１２の構成について説明する。再び図２を参照して、制御部１２は、ＯＣＲ（Ｏｐｔｉｃａｌ  Ｃｈａｒａｃｔｅｒ  Ｒｅｃｏｇｎｉｔｉｏｎ（光学的文字認識））処理部２５と、ログイン受け付け部２６と、実行許可部２７と、ジョブ実行制御部２８とを備える。ＯＣＲ処理部２５は、画像読み取り部１４により読み取られた画像データの中から文字を認識する。ログイン受け付け部２６は、ＯＣＲ処理部２５により認識された文字の認証により複数の機能のうちの少なくとも一部の実行を許可するログインを受け付ける。実行許可部２７は、ログイン受け付け部２６によりログインを受け付けられれば、複数の機能のうちの少なくとも一部の実行を許可する。ジョブ実行制御部２８は、実行許可部により実行を許可された機能を用いて、画像読み取り部１４により読み取られた画像データに対するジョブを実行するよう制御する。これらの構成の詳細については、後に詳述する。
【００１６】
次に、このような複合機１１により、権限を有さないユーザーが複合機１１を利用してジョブを実行する際の処理の流れについて説明する。図３は、権限を有さないユーザーが複合機１１を利用して複合機１１の機能の一部である印刷ジョブを実行する際の処理の流れを示すフローチャートである。
【００１７】
併せて図３を参照して、ログイン受け付け部２６は、ログイン画面を表示画面２１に表示してログインを受け付ける（図３において、ステップＳ１１、以下、「ステップ」を省略する）。
【００１８】
図４は、ログイン画面の一例を示す図である。図４を参照して、表示画面２１には、ユーザー名との文字３１ａと、文字３１ａの横に配置され、ユーザー名を入力させる入力欄３２ａと、文字３１ａの下に配置されるパスワードとの文字３１ｂと、文字３１ｂの横に配置され、パスワードを入力させる入力欄３２ｂと、「ログイン」と示され、押下により入力されたアカウントおよびパスワードが正しいか否かを判断させるログインキー３３と、「ＯＣＲログイン」と示され、押下によりＯＣＲログインへ処理を移行するＯＣＲログインキー３４とが表示されている。複合機１１の有する複数の機能を利用可能な正当な権限を有するユーザーについては、入力欄３２ａ、３２ｂへの入力、ログインキー３３の押下、および認証を経由して、複合機１１を利用する。
【００１９】
ここで、権限を有しないユーザーについては、ＯＣＲログインを利用する。権限を有しないユーザーは、ＯＣＲログインキー３４を押下する。そうすると、ログイン受け付け部２６は、ＯＣＲログインキー３４の押下を検知する（Ｓ１２において、ＹＥＳ）。そして、ＯＣＲログインの処理を進めるために、次の画面へ移行する。すなわち、ＯＣＲ読み取りを促す画面を表示する（Ｓ１３）。
【００２０】
図５は、ＯＣＲ読み取りを促す画面の一例を示す図である。図５を参照して、表示画面２１には、「原稿をスキャンしてください。」とのメッセージ３５と、「キャンセル」と示されており、押下を検知することによりＯＣＲ読み取りおよびＯＣＲログインを中止するキャンセルキー３６とが表示されている。
【００２１】
ユーザーは、読み取らせる原稿をＡＤＦ２２にセットする。図６は、セットされる原稿の一例を示す図である。図６を参照して、原稿４１は、表題として「ＸＸＸ社様用  報告資料」との文字画像４２と、複数の文章からなる文字画像４３とから構成されている。なお、「ＸＸＸ社様  報告資料」との文字画像４２については、設定されたキーワードである「ＸＸＸ社様  報告資料」との文字が含まれている。ここで、設定されたキーワードに関するデータについては、「ＸＸＸ社様  報告資料」と「片面印刷ジョブ」、といったように、ハードディスク１７に利用できる機能と共に紐付けられて記憶されている。
【００２２】
そして、ユーザーは、原稿４１のＡＤＦ２２へのセット後、操作部１３に設けられているスタートキーを押下する。そうすると、ＡＤＦ２２は、画像読み取り部１４の読み取り位置に原稿を搬送する。そして、画像読み取り部１４は、原稿の画像を読み取る（Ｓ１４において、ＹＥＳ）。
【００２３】
次に、ＯＣＲ処理部２５は、画像読み取り部１４により読み取られた画像データの中から文字を認識する。そして、ログイン受け付け部２６は、画像読み取り部１４により読み取られた画像データの中に設定されたキーワードがあるか否かを判断する（Ｓ１５）。
【００２４】
この場合、設定されたキーワードとして「ＸＸＸ社様  報告資料」との文字が文字画像４２に含まれているため、設定されたキーワードがあると判断される（Ｓ１５において、ＹＥＳ）。すなわち、ログイン受け付け部２６は、ログインを受け付ける。
【００２５】
実行許可部２７は、ログイン受け付け部２６によりログインを受け付けられれば、複数の機能のうちの少なくとも一部の実行を許可する。すなわち、ユーザーは、設定されたユーザーとしてログインされる（Ｓ１６）。
【００２６】
そして、ジョブ実行制御部２８は、実行許可部２７により実行を許可された機能を用いて、画像読み取り部１４により読み取られた画像データに対するジョブを実行するよう制御する。すなわち、読み取られた原稿４１の画像を基に、片面印刷のジョブを実行する（Ｓ１７）。この場合、例えば、操作部１３の表示画面２１において、片面印刷のジョブに関する部数や濃度、集約印刷といった設定を受け付けてから印刷ジョブを実行することにしてもよい。ジョブが終了すると（Ｓ１８において、ＹＥＳ）、ログアウト処理を行って（Ｓ１９）、処理を終了する。
【００２７】
このような複合機１１によると、複合機１１の機能を利用する権限を有しないユーザーであっても、取り扱う原稿４１の画像によって、複合機１１の一部の機能を実行することができる。したがって、利便性を向上させることができる。
【００２８】
この場合、実行許可部２７により実行を許可された機能を用いて、画像読み取り部１４により読み取られた画像データに対するジョブを実行するよう制御するジョブ実行制御部２８を備えるため、読み取られた画像データをそのまま利用して、ジョブを実行することができる。
【００２９】
また、この場合、画像読み取り部１４は、原稿４１を読み取り位置に搬送するＡＤＦ２２を含むため、原稿４１の読み取り時におけるユーザーの手間を省略することができる。
【００３０】
なお、Ｓ１４において、原稿４１の画像を読み取らなければ（Ｓ１４において、ＮＯ）、所定の時間の経過後（Ｓ２０において、ＹＥＳ）、処理を終了する。このような状況は、例えば、ＯＣＲログインキー３４の押下を検知した後、所定の時間内に原稿４１がセットされなかった場合や、セットされた原稿において、設定されたキーワードに基づく認証がなされなかった場合が相当する。すなわち、ログイン受け付け部２６は、ＯＣＲ処理部２５により認識された文字が認証されなければ、処理を終了する。こうすることにより、例えば、誤ってＯＣＲログインキー３４を押下してしまった場合等における後の処理を円滑に行うことができる。また、設定されたキーワードが原稿４１に含まれていなかった場合に適切に対処することもできる。
【００３１】
また、上記の実施の形態においては、上記したジョブ実行制御部２８を備える構成としたが、これに限らず、このような構成のジョブ実行制御部２８を備えず、実行許可部２７は、認証された文字である設定されたキーワードが所定の特定文字であれば、画像読み取り部１４により読み取られた画像データに対して全ての機能の実行を許可するようにしてもよい。こうすることにより、より利便性を向上させることができる。
【００３２】
なお、上記の実施の形態においては、許可される機能を片面印刷機能であることとしたが、これに限らず、ファクシミリ送信機能や、他の機能、例えば、カラーコピーできる機能を実行できるようにしてもよいし、両面印刷できる機能を実行できるようにしてもよい。また、画像読み取り部１４は、ＡＤＦ２２を備えない構成であってもよい。この場合、載置台を利用して原稿４１の画像を読み取るようにするとよい。
【００３３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３４】
この発明に係る画像処理装置は、利便性の向上が要求される場合に、特に有効に利用される。
【符号の説明】
【００３５】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３  ネットワーク、２５  ＯＣＲ処理部、２６  ログイン受け付け部、２７  実行許可部、２８  ジョブ実行制御部、３１ａ，３１ｂ  文字、３２ａ，３２ｂ  入力欄、３３  ログインキー、３４  ＯＣＲログインキー、３５  メッセージ、３６  キャンセルキー、４１  原稿、４２，４３  文字画像。
【図１】
2019041237.tif 000003
【図２】
2019041237.tif 000004
【図３】
2019041237.tif 000005
【図４】
2019041237.tif 000006
【図５】
2019041237.tif 000007
【図６】
2019041237.tif 000008